(57)【特許請求の範囲】
【請求項１】
多チャンネルの地震計測系をそなえた地震観測装置において、上記多チャンネルの地震計測系のうちの特定のチャンネルの地震計測系を除いて残りのチャンネルの地震計測系についてセンサの校正を行ない、同校正の終了後の時間帯に前回校正を行なわなかった上記特定のチャンネルの地震計測系のセンサの校正を行なうようにした方法において、上記校正中のチャンネルの地震計測系の外のチャンネルの地震計測系が地震を検知したとき、上記校正中のチャンネルの地震計測系を直ちに地震波データ記録モードに移行させるようにしたことを特徴とする、地震観測装置におけるセンサの校正方法。
【発明の詳細な説明】
【０００１】
【発明の属する技術分野】
本発明は、多チャンネルの地震計測系をそなえた地震観測装置における、地震計の校正（感度検定）方法に関する。
【０００２】
【従来の技術】
主に強震時の構造物（建屋，ダム等）の地震応答記録を得ることを目的として、強震計と呼ばれる地震計が用いられている。
この強震計はあらかじめ設定した大きさ以上の地震を検知したとき起動するもので、そのセンサにはサーボ型加速度計が用いられている。
【０００３】
センサを構成するサーボ型加速度計には、同加速度計の検定用テストコイルが取り付けられていて、このテストコイルに外部から校正信号（テスト信号）（通常数Ｈｚ〜数十Ｈｚのサイン波形の電流）を与えてセンサを動かし、そのときのセンサの動きから当該加速度計の検定を行なっている。
【０００４】
ところで、大型の構造物（大型の建築物，ダム等）の場合、図２に示すように多数のセンサ１，２，…，ｎを構造物の広い範囲に設置し、つまり１つの構造物に多チャンネルの地震計測系Ａ，Ｂ，Ｃ，…，Ｎを設けて地震波データの記録が得られる構成となっている。
そして従来は、多数のセンサ１，２，…，ｎの校正を同時に行なう校正方法が取られている。
【０００５】
すなわち、図２において、符号１，２，３，…，ｎはｎ個の各センサをそれぞれ示しており、各センサ１，…，ｎにはそれぞれテストコイル１ａ，２ａ，…，ｎａが取り付けられている。
【０００６】
また、符号５はテスト信号発生用の発振器を示していて、この発振器５で発生したテスト信号（波形を符号４で示す）は、各テストコイル１ａ〜ｎａに、電流増幅器11, 12, …1nおよび切換スイッチ21, 22, …，2nを介して伝達されるようになっている。切換スイッチ21, 22, …，2nは通常ＯＦＦに設定されている。
符号40は発振器５および切換スイッチ21, 22, …, 2nを制御するＣＰＵを示している。
【０００７】
ＣＰＵ40は、「発振器ＯＮ」信号と「各切換スイッチ21, 22, …, 2nをＯＮに付勢する」信号とを同時に発信するようになっていて、ＣＰＵ40の指令で発振器５が作動すると発振器５から各テストコイル１ａ〜ｎａにテスト信号が送られるようになっている。
符号50は、ＣＰＵ40に上記信号発生の指示を行なうスタータを示している。
【０００８】
なお所定時間毎（例えば２４時間毎あるいは１カ月毎）に、上記信号発生の指示を行なうプログラムをＣＰＵ40に組み込んでおくと、定期的な当該センサ（加速度計）の検定ができる。スタータ50の設置は、Ａ／Ｄ変換器のデータからＣＰＵ40のソフトウェアでスタータが構成されている場合は省略できる。またテスト信号は例えば約６０秒で終了する。
符号61, 62, ・・・, 6nは増幅器、符号70はＡ／Ｄ変換器をそれぞれ示している。
【０００９】
そして、電流増幅器11，切換スイッチ21，テストコイル１ａ，増幅器61が直列に接続されて校正用の第１チャンネルの地震計測系Ａ（以下「第１チャンネルＡ」と略称する）を構成し、同様に第２チャンネルＢ，第３チャンネルＣ・・・第ｎチャンネルＮが構成されている。
【００１０】
ＣＰＵ40の指令で発振器５が作動し、各テストコイル１ａ〜ｎａにテスト信号が送られると、このテスト信号によるテストコイル１ａ〜ｎａの信号を各センサ１〜ｎがキャッチし、その信号を各増幅器61〜6n，Ａ／Ｄ変換器70を介してＡ／Ｄデータ回線80でＣＰＵ40に戻し、これにより各センサの校正が行なわれる。
符号90はスタートパルス回線を示している。
【００１１】
【発明が解決しようとする課題】
上述の従来の校正方法では、校正がすべてのセンサについて同時に行なわれる。したがって、校正時に地震が発生しても、センサは校正段階にあるため地震波データを記録することができないという問題点がある。
本発明は、このような問題点を解決しようとするもので、ある特定のチャンネルを除いて残りのチャンネルについて校正を行ない、その校正を終了した後の時間帯に、前回校正しなかったチャンネルの校正を行なうようにした地震観測装置におけるセンサの校正方法を提供しようとするものである。
【００１２】
【課題を解決するための手段】
本発明は、多チャンネルの地震計測系をそなえた地震観測装置において、上記多チャンネルの地震計測系のうちの特定のチャンネルの地震計測系を除いて残りのチャンネルの地震計測系についてセンサの校正を行ない、同校正の終了後の時間帯に前回校正を行なわなかった上記特定のチャンネルの地震計測系のセンサの校正を行なうようにした方法において、上記校正中のチャンネルの地震計測系の他のチャンネルの地震計測系が地震を検知したとき、上記校正中のチャンネルの地震計測系を直ちに地震波データ記録モードに移行させるようにして課題解決の手段としている。
【００１３】
本発明の校正方法によれば、多チャンネルの地震計測系をそなえた地震観測装置において、センサの校正時にも絶え間無く地震の発生を検知でき、かつ地震波データの記録を行なうことができる。
【００１４】
また、地震の発生が検知されると全チャンネルを地震波データの記録モードに切換え、かつ必要に応じて警報を発生させることができるため、いつ発生するかわからない地震を絶え間無く観測することができる。
【００１５】
【発明の実施の形態】
以下、図面により本発明の一実施形態としての地震観測装置におけるセンサの校正方法について説明すると、図１はそのブロック図である。
なお図１中図２と同じ符号はほぼ同一の部材を示している。
【００１６】
この実施形態の地震観測装置も、センサ１〜ｎを有するｎ台の強震計をそなえた多チャンネルの地震計測系をそなえるとともに、各センサ１〜ｎにはそれぞれテストコイル１ａ〜ｎａがそれぞれ取り付けられている。
【００１７】
さらに、ＣＰＵ40，スタータ50，発振器５，電流増幅器11〜1nが設けられていて、第Ｎチャンネルの外のチャンネル（図１に示した例では第１，第２および第３チャンネル）については、上述の従来の方法と同じ手順でセンサの校正が行なわれる。
【００１８】
この実施形態の場合、ＣＰＵ40に、第１〜第３チャンネルＡ，Ｂ，Ｃの各センサの校正が終了した後の時間帯に、第Ｎチャンネルのセンサの校正を行なうように指令信号を発生するプログラムが格納されている。
【００１９】
つまり、第１〜第３チャンネルＡ，Ｂ，Ｃの各センサの校正が終了した後の時間帯に、発振器５を作動させると同時に、切替スイッチ２ｎをＯＮに設定する信号がＣＰＵ40から出力され、第Ｎチャンネルのセンサのみの校正が行なわれるようになっている。
【００２０】
したがって、第Ｎチャンネルの外のチャンネルの校正中に地震が発生しても、それは第Ｎチャンネルで検知される。また、第Ｎチャンネルの校正中の地震は、他のチャンネル（第１〜第３チャンネル）で検知される。さらに、これらの地震発生の検知信号が増幅器61〜63あるいは6n，Ａ／Ｄ変換器70およびデータ回線80でＣＰＵ40に伝えられると、校正中のチャンネルの校正を停止して全チャンネルを地震波データの記録モードに移行させるプログラムも、ＣＰＵ40に格納されている。
【００２１】
このように、ある特定チャンネル（この例では第Ｎチャンネル）を除いた残りのチャンネルについてセンサの校正を行ない、その校正を終了した後の時間帯に、第Ｎチャンネルのセンサのみの校正を行なうようにしたため、地震の発生を絶え間無く検知することができ、かつ地震の発生が検知されると、校正を停止して全チャンネルを地震波データの記録モードに切換えることができるので、いつ発生するかわからない地震を絶え間無く記録することができる。
【００２２】
また、地震の発生の検知と同時に警報器を作動する回路を付設するとき、地震観測装置の設置効果は一段と向上する。
【００２３】
【発明の効果】
以上詳述したように、本発明によれば次のような効果が得られる。
(1) 多チャンネルの地震計測系をそなえた地震観測装置において、センサの校正時にも絶え間無く地震の発生を検知でき、かつ地震波データの記録を行なうことができる。
(2) 地震の発生が検知されると全チャンネルを地震波データの記録モードに切換え、かつ必要に応じて警報を発生させることができるため、いつ発生するかわからない地震を絶え間無く観測することができる。
【図面の簡単な説明】
【図１】  本発明の一実施形態としての地震観測装置におけるセンサの校正方法を示すブロック図。
【図２】  従来の地震観測装置におけるセンサの校正方法を示すブロック図。
【符号の説明】
１，２，３，…，ｎ  センサ
１ａ，２ａ，３ａ，…, ｎａ  テストコイル
４  テスト信号（波形）
５  発振器
11，12, 13, …, 1n  電流増幅器
21, 22, 23, 2n  切換スイッチ
40  ＣＰＵ
50  スタータ
61, 62, 63, …, 6n  増幅器
70  Ａ／Ｄ変換器
80  データ回線
Ａ  第１の地震計測系
Ｂ  第２の地震計測系
Ｃ  第３の地震計測系
Ｎ  第Ｎの地震計測系
【図１】
0004071859.tif 000002
【図２】
0004071859.tif 000003